(57)【要約】【課題】適切に録音ノイズを低減する録音機能付き撮像装置を提供すること。【解決手段】音信号を取得する取得部１４と、交換可能に装着された撮影レンズ１２を識別する識別情報に対応付けて、前記撮影レンズの動作音情報を記憶可能な記憶部１６と、装着された前記撮影レンズの前記識別情報に基いて、前記記憶部に前記撮影レンズの動作音情報が記憶されているか否かを判定する第１判定部２０と、前記動作音が記憶されていない場合に、前記撮影レンズの動作音情報を取得する手順を表示する表示部１７と、前記表示部に表示された手順に従って取得した前記動作音情報が所定の基準を満たすか否かを判定する第２判定部２１と、前記第２判定部によって前記基準を満たすと判定された前記動作音情報を前記記憶部に記憶させる記憶制御部２３と、前記動作音に基いて前記音信号を処理する処理部２２とを備える録音機能付き撮像装置１０。【選択図】図１
2011124714.tif 000002
【特許請求の範囲】
【請求項１】
音信号を取得する取得部と、
交換可能に装着された撮影レンズを識別する識別情報に対応付けて、前記撮影レンズの動作音情報を記憶可能な記憶部と、
装着された前記撮影レンズの前記識別情報に基いて、前記記憶部に前記撮影レンズの動作音情報が記憶されているか否かを判定する第１判定部と、
前記動作音が記憶されていない場合に、前記撮影レンズの動作音情報を取得する手順を表示する表示部と、
前記表示部に表示された手順に従って取得した前記動作音情報が所定の基準を満たすか否かを判定する第２判定部と、
前記第２判定部によって前記基準を満たすと判定された前記動作音情報を前記記憶部に記憶させる記憶制御部と、
前記動作音に基いて前記音信号を処理する処理部とを備えたことを特徴とする録音機能付き撮像装置。
【請求項２】
前記駆動音情報は、前記撮影レンズが駆動していない状態で前記取得部によって取得された第１音情報と、前記撮影レンズが駆動している状態で前記取得部によって取得された第２音情報との差に基くものであることを特徴とする請求項１に記載の録音機能付き撮像装置。
【請求項３】
前記記憶部は、前記動作音情報を記憶した時刻を対応付けて記憶しており、
前記第１判定部は、前記時刻からの経過時間が所定時間を超えている場合に、前記音情報が記憶されていないものと判定することを特徴とする請求項１または２に記載の録音機能つき撮像装置。
【請求項４】
前記取得部は、前記第１判定部によって前記動作音情報が記憶されていないと判定された場合に、前記音信号の取得を禁止することを特徴とする請求項１から３のいずれか１項に記載の録音機能付き撮像装置。
【請求項５】
前記撮影レンズが備える光学系を所定の駆動形態に従って駆動する駆動制御部を備え、
前記表示部は、前記駆動制御部による前記光学系の駆動操作の指示を表示することを特徴とする請求項１から４のいずれか１項に記載の録音機能付き撮像装置。
【請求項６】
前記取得部は、前記第２音情報を取得する前後において前記第１音情報を取得し、
前記表示部は、前記第２音情報を取得する前後において取得した複数の前記第１音情報の差が所定レベル以上である場合に、前記第２音情報の再取得を指示することを特徴とする請求項２から５のいずれか１項に記載の録音機能付き撮像装置。
【発明の詳細な説明】
【技術分野】
【０００１】
本発明は、録音機能付き撮像装置に関する。
【背景技術】
【０００２】
近年、撮像素子および信号処理系の高性能化によりデジタル一眼レフレックスカメラ（以後、単にカメラと記す）でも動画の撮影および音声の録音が可能になりつつある。しかしながら、カメラに装着される交換可能な撮影レンズは、静止画撮影を目的に設計されているため、動画撮影時にはレンズの駆動音（例えば、オートフォーカス動作音、電動ズーム動作音、手ぶれ防止動作音等）が動画像と共に搭載マイクを介して録音され、動画再生時にノイズとなり聞きづらいと言う問題がある。
【０００３】
この問題を解決するために、予め取得しておいたレンズ駆動音を使って、音声からレンズ駆動音を除去して録音するノイズ低減方法が提案されている（例えば、特許文献１参照）。
【先行技術文献】
【特許文献】
【０００４】
【特許文献１】特開２００４−８０７８８号公報
【発明の概要】
【発明が解決しようとする課題】
【０００５】
しかしながら、従来のノイズ低減方法では、ノイズプロファイルの取得を撮影者が確認できないため、所望のノイズ低減が十分に行われない可能性があると言う問題がある。
【０００６】
本発明は、上記課題に鑑みて行われたものであり、レンズ駆動ノイズを撮影者自身が確認しながら取得でき、適切に録音ノイズを低減する録音機能付き撮像装置を提供することを課題とする。
【課題を解決するための手段】
【０００７】
上記課題を解決するため、本発明は、音信号を取得する取得部と、交換可能に装着された撮影レンズを識別する識別情報に対応付けて、前記撮影レンズの動作音情報を記憶可能な記憶部と、装着された前記撮影レンズの前記識別情報に基いて、前記記憶部に前記撮影レンズの動作音情報が記憶されているか否かを判定する第１判定部と、前記動作音が記憶されていない場合に、前記撮影レンズの動作音情報を取得する手順を表示する表示部と、前記表示部に表示された手順に従って取得した前記動作音情報が所定の基準を満たすか否かを判定する第２判定部と、前記第２判定部によって前記基準を満たすと判定された前記動作音情報を前記記憶部に記憶させる記憶制御部と、前記動作音に基いて前記音信号を処理する処理部とを備えたことを特徴とする録音機能付き撮像装置を提供する。
【発明の効果】
【０００８】
本発明によれば、レンズ駆動ノイズを撮影者自身が確認しながら取得でき、適切に録音ノイズを低減する録音機能付き撮像装置を提供することができる。
【図面の簡単な説明】
【０００９】
【図１】実施形態にかかる録音機能付き撮像装置のブロック図。
【図２】レンズ駆動ノイズ取得手順を示すフローチャート。
【発明を実施するための形態】
【００１０】
以下、本発明の実施の形態にかかる録音機能付き撮像装置について図面を参照しつつ説明する。なお、以下の実施の形態は、発明の理解を容易にするためのものに過ぎず、本発明の技術的思想を逸脱しない範囲において当業者により実施可能な付加・置換等を施すことを排除することは意図していない。
【００１１】
図１において、実施形態にかかる録音機能付き撮像装置（以後、デジタルカメラと記す）１０は、デジタルカメラ本体１１（以後、単にカメラ本体と記す）とカメラ本体１１に装着される交換可能な撮影レンズ１２（以後、単にレンズと記す）とから構成されている。
【００１２】
レンズ１２は、レンズ群１２ａと、これらレンズ群１２ａ中のフォーカスレンズ群を光軸に沿って移動させて被写体に合焦させるオートフォーカス駆動（以後、ＡＦ駆動と記す）を行うＡＦモータ１２ｂとＡＦモータ１２ｂの駆動制御を行うＡＦ駆動部１２ｃ、レンズ群１２ａ中のズームレンズ群を光軸に沿って移動させてレンズ１２の焦点距離を変更するズームモータ１２ｄとズームモータ１２ｄの駆動制御を行うズーム駆動部１２ｅ、カメラ１０にブレが生じた際にそのブレ量に応じて像ぶれ補正用レンズを光軸に直交する方向に駆動する手ぶれ補正用（ＶＲ）モータ１２ｆと手ぶれ補正用（ＶＲ）モータ１２ｆの駆動制御を行う手ぶれ補正用モータ（ＶＲ）駆動部１２ｇ、およびＡＦ駆動部１２ｃ、ズーム駆動部１２ｅ、手ぶれ補正用モータ（ＶＲ）駆動部１２ｇ等のレンズ１２を制御するレンズ制御部１２ｈとから構成されている。
【００１３】
なお、本実施形態では、撮影レンズ１２は手ぶれ補正機能、ＡＦ機能を有する電動ズームレンズの場合について説明するが、電動で動作する機能はこれらに限定されず、また一部の機能が手動式のレンズにおいても同様に適用できることは言うまでもない。
【００１４】
カメラ本体１１内部には、カメラ１０の制御部１３と、マイク等の音声入力部１４、後述するノイズプロファイル等を保存するメモリ１５、撮影した画像を保存するためのメモリカード（ＩＦ、ＣＦカードやＳＤカード等を含む）１６等が配置されている。また、カメラ本体１１の背面には、不図示のＣＣＤで撮像した被写体像や、後述するノイズプロファイルを取得する手順等を表示する表示装置１７と、使用者がカメラ１０に対して各種の指示、決定等を制御部１３に伝達する操作部１９が配置されている。また、操作部１８からの指示は、制御部１３の動作指示部１８を介してカメラ制御部１２ｈに伝達される。これにより、レンズ１２の各種駆動を行うことができる。
【００１５】
また、制御部１３には、上記動作指示部１８以外に、判断部２０、プロファイル作成部２１、ノイズ除去部２２、記録制御部２３等が配置されている。
【００１６】
判断部２０は、後述する手順に従って音声入力部１４を介して環境ノイズプロファイルやレンズ駆動ノイズプロファイル等を取得してその良否を判断する機能を有している。ここで、ノイズプロファイルとは、一般的な音声周波数特性のことである。
【００１７】
プロファイル作成部２１は、音声入力部１４で集音した環境ノイズやレンズ駆動ノイズから、それらのノイズプロファイルを作成する機能を有している。このノイズプロファイルは、カメラ本体１１に装着されているレンズ１２のノイズプロファイルとしてメモリ１５に保存される。また、プロファイル作成部２１は、取得したレンズ駆動ノイズプロファイルから予め取得した環境ノイズプロファイルを除去する機能を有している。
【００１８】
ノイズ除去部２２は、収録された音声からノイズプロファイルに該当するノイズを除去する機能を有する。
【００１９】
記録制御部２３は、撮像された動画像とノイズ除去された音声とをメモリカード１６に保存するための制御部である。
【００２０】
次に、図２を参照しつつ、本願実施形態にかかるデジタルカメラの録音ノイズ低減方法におけるノイズプロファイル取得手順についてステップ毎に説明する。
【００２１】
（ステップＳ１）
制御部１３は、撮影者が不図示のモード選択スイッチを操作してカメラ１０の動作を動画モードに設定したか否かを検出する。
【００２２】
撮影者により静止画モードが選択された場合は、通常の静止画撮影が行えるようにデジタルカメラ１０が制御部１３により設定され、ノイズプロファイル取得モードを終了するステップＳ４にジャンプする。これにより、撮影者は静止画（スチル）撮影が可能になる。
【００２３】
一方、撮影者により動画モードが選択された場合は、表示部１７に以下のステップが順次表示され、撮影者が表示の指示に従って操作ボタン１９を操作することで各ステップが実行され、ノイズプロファイルを取得する。
【００２４】
（ステップＳ２）
制御部１３は、表示部１７にレンズ１２が交換されたか否かを確認する表示を行う。なお、このステップは、制御部１３が制御部１３とレンズ制御部１２ｈとの通信によりレンズ１２の交換の有無を自動的に検出するように構成することもでき、この際にはステップＳ２は、制御部１３で自動的に実行される。
【００２５】
撮影者は、レンズ１２が交換されていなければ、ステップＳ３を実行する。
【００２６】
撮影者は、レンズ１２が交換されていれば、ステップＳ５を実行する。
【００２７】
（ステップＳ３）
制御部１３は、カメラ本体１１に装着されているレンズ１２のレンズ駆動ノイズが一定期間中に取得されたか否かを検出する。これは、制御部１３が、カメラ本体１１に装着されたレンズ１２のノイズプロファイルが記憶されているかをメモリ１５を参照することで行われる。
【００２８】
制御部１３は、レンズ１２のノイズプロファイルが記憶されている時、表示部にその旨を表示し、ノイズプロファイル取得モードを終了するステップＳ４を実行する。これにより、撮影者は動画撮影が可能になる。
【００２９】
制御部１３は、記憶されているレンズ１２のノイズプロファイルが所定の期間を超えている時、あるいは記憶されていない時、ステップＳ５にジャンプする。ノイズプロファイルを記憶した時期が一定期間を超えている時は、レンズ１２の経年変化によりノイズプロファイルが変化している虞があるので、ノイズプロファイルの再取得を促すためである。
【００３０】
（ステップＳ４）
このステップは、ノイズプロファイル取得モード終了処理を行うステップで、制御部１３が表示部１７からノイズプロファイル取得指示関連の表示を消し、通常の画像表示モードにする。
【００３１】
(ステップＳ５)
レンズ１２が交換されているので、制御部１３は、カメラ本体１１に装着されているレンズ１２のレンズ駆動ノイズプロファイルが一定期間中に取得されたか否かを検出する。これは、制御部１３が、装着されたレンズ１２のノイズプロファイル情報がメモリ１５に記憶されているかを参照することで行われる。
【００３２】
制御部１３は、レンズ１２のノイズプロファイル情報が記憶されている時、表示部にその旨を表示し、ノイズプロファイル取得モードを終了するステップＳ４を実行する。これにより、撮影者は動画撮影が可能になる。
【００３３】
制御部１３は、レンズ１２のノイズプロファイルを有していない時、ステップＳ６を実行する。
【００３４】
（ステップＳ６）
制御部１３は、表示部１７にレンズ駆動ノイズプロファイル取得するか否かのメッセージを表示する。撮影者は、操作部１９を操作してレンズ駆動ノイズプロファイルを取得するか否かを決定する。
【００３５】
撮影者が取得しない（ＮＯ）を選択した時、制御部１３はステップＳ４にジャンプする。
【００３６】
撮影者が取得する（ＹＥＳ）を選択した時、制御部１３はステップＳ７を実行する。
【００３７】
（ステップＳ７）
制御部１３は、デジタルカメラ１０周囲の環境音を自動的に録音する。このとき、撮影者はデジタルカメラ１０の周囲環境をできるだけ静かな環境に置き、不要な騒音を発生しないようにすることが望ましい。
【００３８】
（ステップＳ８）
制御部１３は、環境音を録音した後、環境音の音圧レベルが予め決められている基準値以下であるか否かを判定部２０により判定する。
【００３９】
環境音の音圧レベルが基準値以上（ＮＯ）である場合、制御部１３はステップＳ９の環境音再取得表示を表示部１７に表示する。撮影者は、表示に従ってステップＳ７を実行して環境音の再取得を行う。
【００４０】
環境ノイズが基準値以下（ＹＥＳ）である場合、制御部１３はその旨を表示部１７に表示する。
【００４１】
（ステップＳ１０）
撮影者は、表示部１７を確認した後、操作部１９を操作して、上記ステップで取得した環境音をメモリ１５に保存する。
【００４２】
（ステップＳ１１）
制御部１３は、レンズ駆動ノイズの取得を行う画面を表示部１７に表示する。撮影者は、操作部１９を操作して、制御部１３にレンズ駆動ノイズ取得指示を行う。制御部１３は、レンズ制御部１２ｈにレンズ１２を所定のパターンで駆動するように指示し、その間にＡＦ駆動ノイズ、ズーム駆動ノイズ、手ぶれ補正用モータ駆動ノイズおよびこれらの組み合わせのノイズの取得をそれぞれ行う。
【００４３】
（ステップＳ１２）
制御部１３は、録音されたＡＦ駆動ノイズ、ズーム駆動ノイズ、手ぶれ補正用モータ駆動ノイズ、および各々組み合わせノイズそれぞれを、ステップＳ１０で保存された環境音と比較する。
【００４４】
（ステップＳ１３）
制御部１３は、録音されたそれぞれのノイズと環境音との比較結果を表示部１７に表示する。
【００４５】
制御部１３の判断部２０が環境音との差が不十分であると判断した時は、表示部１７に駆動ノイズの再取得を指示する表示を行う（ステップＳ１４）。撮影者は、ステップＳ１４の表示に従って駆動ノイズの再取得を操作部１９の操作で指示する。制御部１３は、指示に従って、ステップＳ１１〜Ｓ１３を実行する。
【００４６】
判断部２０が駆動ノイズと環境音との差が十分と判断した時は、ステップＳ１５を実行する。
【００４７】
（ステップＳ１５）
制御部１３は、環境音を再度取得する処理を行い、環境音を再取得する。
【００４８】
（ステップＳ１６）
判断部２０は、ステップＳ１０で取得した環境音とステップＳ１５で取得し保存している環境音との差分を取り、その差が規定値以上の場合、ステップＳ１４にジャンプする。制御部１３は、再度ステップＳ１１からＳ１６までを実行する。これは、ステップＳ１０で取得した環境音とステップＳ１５で取得した環境音に差がある場合、ステップＳ１１で取得したレンズ駆動ノイズに不要な環境音が含まれている場合を考慮しているためである。
【００４９】
判断部２０が両環境音の差が規定値以下であると判断した時、制御部１３はステップＳ１７を実行する。
【００５０】
（ステップＳ１７）
制御部１３のプロファイル作成部２１は、ステップＳ１１で取得した、レンズ１２のＡＦ駆動ノイズ、ズーム駆動ノイズ、手ぶれ補正用モータ駆動ノイズおよび各々組み合わせたそれぞれの駆動ノイズから環境音を差し引いて各々ノイズプロファイルとして作成する。
【００５１】
（ステップＳ１８）
制御部１３は、作成した各ノイズプロファイルを撮影者に確認させるために表示部１７に表示する。撮影者は、作成された各ノイズプロファイルに不要なノイズ成分（例えば、周囲環境中の突発ノイズ等）が含まれていないことを確認する。
【００５２】
確認後、各ノイズプロファイルに問題が無ければ保存の指示を操作部１９により行う。
【００５３】
問題がある場合には、再取得指示を操作部１９で行い、これを受け制御部１３は、ステップＳ７から再処理を行う。
【００５４】
（ステップＳ１９）
制御部１３は、取得した各ノイズプロファイルをメモリ１５に保存する。以後、保存した各ノイズプロファイルを使用して録音する音声のノイズを低減する。
【００５５】
以上で、本願のレンズ駆動ノイズ低減に使用するノイズプロファイル取得手順を終了する。
【００５６】
これにより、本願実施形態のデジタルカメラ１０で撮影者が動画撮影する時、カメラ本体１１に装着されたレンズ１２のレンズ駆動ノイズの有無を判断し、且つ不要なノイズ成分を含んでいないレンズ駆動ノイズの最適なノイズプロファイルの取得を表示部１７を介して撮影者に指示し、取得したノイズプロファイルを用いてノイズ低減処理を行うことができる。また、所定期間経過後のノイズプロファイルを新たなノイズプロファイルに変更でき、レンズ１２の経年変化によるノイズプロファイルの変化に対応することができる。
【００５７】
動画撮影時は、音声入力部１４で集音された音声から保存しているノイズプロファイルをレンズ駆動状態に応じて制御部１３が選択して録音ノイズの低減が行われる。一般的に、動画撮影時は、ＡＦ動作、ズーム動作、手ぶれ補正動作が同時に行われることが多いので、ノイズ低減に使用されるノイズプロファイルは上記三つの動作を組み合わせたノイズプロファイル使われる。三つの動作を単体として使っている場合には、使われている動作に対応したノイズプロファイルが制御部１３で選択されることは言うまでもない。なお、ノイズプロファイルを用いたデジタルカメラの録音ノイズの低減方法は、公知の方法が使用できるので詳細な説明は省略する。また、上記ノイズプロファイルには、レンズ駆動ノイズのほかに、広角端状態や望遠端状態まで動作した際の部材の衝突音などのノイズ、あるいは撮影者に告知するためのブザー音等も含まれることは言うまでもない。
【符号の説明】
【００５８】
１０    録音機能付き撮像装置（デジタルカメラ）
１１    カメラ本体
１２    撮影レンズ（レンズ）
１２ａ  レンズ群
１２ｂ  ＡＦモータ
１２ｃ  ＡＦ駆動部
１２ｄ  ズームモータ
１２ｅ  ズーム駆動部
１２ｆ  手ぶれ補正用（ＶＲ）モータ
１２ｇ  手ぶれ補正用モータ（ＶＲ）駆動部
１２ｈ  レンズ駆動部
１３    制御部
１４    音声入力部（マイク）
１５    メモリ
１６    メモリカード
１７    表示部
１８    動作指示部
１９    操作部
２０    判断部
２１    プロファイル作成部
２２    ノイズ除去部
２３    記録制御部
【図１】
2011124714.tif 000003
【図２】
2011124714.tif 000004